【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
印刷装置と、サーバシステムとを含む通信システムであって、
所定の情報の入力を受け付けるための入力画面を前記印刷装置の外部且つ前記サーバシステムの外部の携帯端末に表示させる表示手段と、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による印刷指示を受け付ける音声受け付け処理が実行されたことに基づいて、前記印刷指示に基づく印刷処理を、前記所定の情報に紐づいている前記印刷装置によって実行する印刷手段と、
前記紐づけ処理及び前記入力受け付け処理が実行された後に、前記音声受け付け処理が実行されたことに基づいて、前記印刷指示に基づく前記印刷処理に関する画面を、前記入力受け付け処理を実行した前記携帯端末に表示させるための制御及び、前記印刷指示に基づく印刷処理に関する音声を、前記音声受け付け処理を実行した前記音声制御デバイスに発させるための制御を実行する制御手段と、
を有することを特徴とする通信システム。
【請求項２】
前記印刷指示に基づく前記印刷処理に関する画面は、前記印刷指示に基づく前記印刷処理において発生したエラーに関する画面であることを特徴とする請求項１に記載の通信システム。
【請求項３】
前記印刷指示に基づく前記印刷処理に関する画面は、前記印刷指示に基づく前記印刷処理に用いられる記録剤に関する画面であることを特徴とする請求項１に記載の制御方法。
【請求項４】
前記印刷指示に基づく前記印刷処理に関する画面は、前記印刷処理が完了したことを示す画面であることを特徴とする請求項１に記載の通信システム。
【請求項５】
前記音声受け付け処理が実行された場合、前記印刷指示に基づく印刷データを前記サーバシステムにおいて生成する生成手段を更に有し、
前記生成された前記印刷データが前記印刷装置に送信されることを特徴とする請求項１乃至４のいずれか１項に記載の通信システム。
【請求項６】
前記印刷指示に基づく前記印刷処理に関する画面を、前記印刷装置が備える表示部に表示する表示制御手段をさらに有することを特徴とする請求項１乃至５のいずれか１項に記載の通信システム。
【請求項７】
前記印刷指示に基づく前記印刷処理に関する画面を、前記入力受け付け処理を実行した前記携帯端末に表示させるための制御は、前記印刷指示に基づく前記印刷処理に関する画面を、前記入力受け付け処理を実行した前記携帯端末に表示させるための情報を、前記サーバシステムから送信する制御であることを特徴とする請求項１乃至６のいずれか１項に記載の通信システム。
【請求項８】
前記印刷指示に基づく印刷処理に関する音声を、前記音声受け付け処理を実行した前記音声制御デバイスに発させるための制御は、前記印刷指示に基づく印刷処理に関する音声を、前記音声受け付け処理を実行した前記音声制御デバイスに発させるための情報を、前記サーバシステムから送信する制御であることを特徴とする請求項１乃至７のいずれか１項に記載の通信システム。
【請求項９】
前記所定の情報は、ユーザＩＤであることを特徴とする請求項１乃至８のいずれか１項に記載の通信システム。
【請求項１０】
前記携帯端末により、前記音声制御デバイスとアクセスポイントとを接続させるための接続設定処理が実行され、
前記印刷指示に基づく前記印刷処理に関する画面を、前記接続設定処理及び前記入力受け付け処理を実行した前記携帯端末に表示させるための制御が実行されることを特徴とする請求項１乃至９のいずれか１項に記載の通信システム。
【請求項１１】
前記紐づけ処理及び前記入力受け付け処理が実行された後に、前記音声制御デバイスによって音声による状態確認指示を受け付ける指示受け付け処理が実行されたことに基づいて、前記印刷装置の状態に関する画面を、前記入力受け付け処理を実行した前記携帯端末に表示させるための制御及び、前記印刷装置の状態に関する音声を、前記指示受け付け処理を実行した前記音声制御デバイスに発させるための制御を実行する通知制御手段と、
をさらに有することを特徴とする請求項１乃至１０のいずれか１項に記載の通信システム。
【請求項１２】
前記紐づけ処理は、前記サーバシステムに、前記所定の情報と前記印刷装置の識別情報とが送信されることで実行されることを特徴とする請求項１乃至１１のいずれか１項に記載の通信システム。
【請求項１３】
前記サーバシステムは、１又は複数の情報処理装置を含むことを特徴とする請求項１乃至１２のいずれか１項に記載の通信システム。
【請求項１４】
印刷装置と、サーバシステムとを含む通信システムであって、
所定の情報の入力を受け付けるための入力画面を前記印刷装置の外部且つ前記サーバシステムの外部の携帯端末に表示させる表示手段と、
前記印刷装置の状態を特定する特定手段と、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による状態確認指示を受け付ける音声受け付け処理が実行されたことに基づいて、前記印刷装置の状態に関する画面を、前記入力受け付け処理を実行した前記携帯端末に表示させるための制御及び、前記印刷装置の状態に関する音声を、前記音声受け付け処理を実行した前記音声制御デバイスに発させるための制御を実行する制御手段と、
を有することを特徴とする通信システム。
【請求項１５】
印刷装置と、サーバシステムとを含む通信システムの制御方法であって、
所定の情報の入力を受け付けるための入力画面を前記印刷装置の外部且つ前記サーバシステムの外部の携帯端末に表示させる表示ステップと、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による印刷指示を受け付ける音声受け付け処理が実行されたことに基づいて、前記印刷指示に基づく印刷処理を、前記所定の情報に紐づいている前記印刷装置によって実行する印刷ステップと、
前記紐づけ処理及び前記入力受け付け処理が実行された後に、前記音声受け付け処理が実行されたことに基づいて、前記印刷指示に基づく前記印刷処理に関する画面を、前記入力受け付け処理を実行した前記携帯端末に表示させるための制御及び、前記印刷指示に基づく印刷処理に関する音声を、前記音声受け付け処理を実行した前記音声制御デバイスに発させるための制御を実行する制御ステップと、
を有することを特徴とする制御方法。
【請求項１６】
印刷装置と、サーバシステムとを含む通信システムの制御方法であって、
所定の情報の入力を受け付けるための入力画面を前記印刷装置の外部且つ前記サーバシステムの外部の携帯端末に表示させる表示ステップと、
前記印刷装置の状態を特定する特定ステップと、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による状態確認指示を受け付ける音声受け付け処理が実行されたことに基づいて、前記印刷装置の状態に関する画面を、前記入力受け付け処理を実行した前記携帯端末に表示させるための制御及び、前記印刷装置の状態に関する音声を、前記音声受け付け処理を実行した前記音声制御デバイスに発させるための制御を実行する制御ステップと、
を有することを特徴とする制御方法。
【請求項１７】
音声制御デバイスと、携帯端末とを含む通信システムの制御方法であって、
所定の情報の入力を受け付けるための入力画面を前記携帯端末に表示する第１表示ステップと、
前記所定の情報に印刷装置を紐づけるための紐づけ処理及び前記入力画面における前記所定の情報の入力を受け付ける入力受け付け処理が実行された後に、前記音声制御デバイスによって音声による印刷指示を受け付ける音声受け付け処理を実行する音声受け付けステップと、
前記紐づけ処理及び前記入力受け付け処理が実行された後に、前記音声受け付け処理が実行されたことに基づいて、前記印刷指示に基づく前記印刷処理に関する画面を、前記入力受け付け処理を実行した前記携帯端末に表示する第２表示ステップと、
前記紐づけ処理及び前記入力受け付け処理が実行された後に、前記音声受け付け処理が実行されたことに基づいて、前記印刷指示に基づく印刷処理に関する音声を、前記音声受け付け処理を実行した前記音声制御デバイスにより発する発音ステップと、
を有することを特徴とする制御方法。
【手続補正２】
【補正対象書類名】明細書
【補正対象項目名】０００６
【補正方法】変更
【補正の内容】
【０００６】
本発明は上記課題に鑑みてなされたものであり、印刷装置と、サーバシステムとを含む通信システムであって、
所定の情報の入力を受け付けるための入力画面を前記印刷装置の外部且つ前記サーバシステムの外部の携帯端末に表示させる表示手段と、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による印刷指示を受け付ける音声受け付け処理が実行されたことに基づいて、前記印刷指示に基づく印刷処理を、前記所定の情報に紐づいている前記印刷装置によって実行する印刷手段と、
前記紐づけ処理及び前記入力受け付け処理が実行された後に、前記音声受け付け処理が実行されたことに基づいて、前記印刷指示に基づく前記印刷処理に関する画面を、前記入力受け付け処理を実行した前記携帯端末に表示させるための制御及び、前記印刷指示に基づく印刷処理に関する音声を、前記音声受け付け処理を実行した前記音声制御デバイスに発させるための制御を実行する制御手段と、
を有することを特徴とする。
【手続補正３】
【補正対象書類名】明細書
【補正対象項目名】０００７
【補正方法】変更
【補正の内容】
【０００７】
また、本発明は、印刷装置と、サーバシステムとを含む通信システムであって、
所定の情報の入力を受け付けるための入力画面を前記印刷装置の外部且つ前記サーバシステムの外部の携帯端末に表示させる表示手段と、
前記印刷装置の状態を特定する特定手段と、
前記所定の情報に印刷装置を紐づけるための紐づけ処理及び前記入力画面における前記所定の情報の入力を受け付ける入力受け付け処理が実行された後に、前記印刷装置の外部且つ前記サーバシステムの外部且つ前記携帯端末の外部の音声制御デバイスによって音声による状態確認指示を受け付ける音声受け付け処理が実行されたことに基づいて、前記印刷装置の状態に関する画面を、前記入力受け付け処理を実行した前記携帯端末に表示させるための制御及び、前記印刷装置の状態に関する音声を、前記音声受け付け処理を実行した前記音声制御デバイスに発させるための制御を実行する制御手段と、
を有することを特徴とする。